(57)【要約】      （修正有）【課題】再生する音波の出口がユーザーの外耳道入り口に挿入されるカナル型の、スピーカーユニットの損傷を防ぐように振動板の前側空間に連通するリークポートを設ける場合に、製造が容易で品質が安定し、また、外部への音漏れが小さくて、再生音質が良好で好ましい音声再生を実現するイヤホンを提供する。【解決手段】イヤホン１のハウジング２は、第１音響空間２１と第２音響空間２２とを連通させる音響通路２７を形成する内側リークポート部を備える。内側リークポート部は、ハウジングの外殻を形成するハウジング部材と、ハウジング部材とスピーカーユニット３との間に介在してこれらを取り付ける取付部材２５と、から構成され、ハウジング部材または取付部材に設けられる溝により音響通路を形成する。【選択図】図３
2019145963.tif 000002
【特許請求の範囲】
【請求項１】
音声信号を電気音響変換して振動板から音波を放射するスピーカーユニットと、
該スピーカーユニットを該振動板の一方側と他方側とにそれぞれ第１音響空間と第２音響空間とを規定するように取り付けるハウジングと、
を備えるイヤホンであって、
該ハウジングは、該第１音響空間と該第２音響空間とを連通させる音響通路を形成する内側リークポート部をさらに備え、
該内側リークポート部は、該ハウジングの外殻を形成するハウジング部材と、該ハウジング部材と該スピーカーユニットとの間に介在してこれらを取り付ける取付部材と、から構成され、該ハウジング部材または該取付部材に設けられる溝により該音響通路を形成する、
イヤホン。
【請求項２】
前記音響通路を形成する前記溝は、前記ハウジング部材または前記取付部材の材厚を、所定の長さに渡って他の部分の材厚よりも薄くまたは厚くして形成されている、
請求項１に記載のイヤホン。
【請求項３】
前記ハウジングは、前記第１音響空間と外部空間とを連通させる音響通路を形成する、または、前記第２音響空間と外部空間とを連通させる音響通路を形成する外側リークポート部をさらに備える、
請求項１または２に記載のイヤホン。
【請求項４】
前記ハウジングは、
前記第１音響空間に連通して前記スピーカーユニットが放射する前記音波をユーザーの外耳道に導くノズル部を有し、該ノズル部は、その内部に形成される音響通路および前記第１音響空間を通じて前記スピーカーユニットの前記振動板の前記一方側が少なくとも該ノズル部の端部から直視できるような管状に形成されている、
請求項１から３のいずれかに記載のイヤホン。
【請求項５】
ユーザーの外耳道に挿入されるイヤピースと、該イヤピースを前記ノズル部に取り付けるイヤピース取付部と、をさらに備える、
請求項１から４のいずれかに記載のイヤホン。
【発明の詳細な説明】
【技術分野】
【０００１】
本発明は、ユーザーの耳に装着されて音声再生するイヤホンに関して、特に、再生する音波の出口がユーザーの外耳道入り口に挿入されるイヤホンに関する。
【背景技術】
【０００２】
ヘッドホン並びにイヤホンは、ユーザーの耳に当接するように近接配置されるスピーカーユニットに音声信号を印加することにより音を再生する。ユーザーの耳に装着されるイヤホンの中には、様々な形態のものがある。
【０００３】
例えば、イヤホンの中には、ヘッドホンのように比較的に大きなスピーカーユニットを備えて、耳介に本体を載せるように装着する耳掛部を備えるものがある。また、本体部を耳介の内側に収めるように装着し、本体部の放音面から外耳道に向け音を放出して使用するインナーイヤー型がある。また、本体部を耳介の内側に収めるように装着し、さらに本体部から突出する音筒部をそれに装着されたイヤピースと共に外耳道内に挿入して使用するカナル型と称されるタイプのイヤホンが普及している。
【０００４】
外側に露出する振動板を有する動電型のスピーカーユニットは、振動板口径が小さい小型なものになるほど、高い音圧レベルを得て、かつ、音声再生周波数帯域を十分に広げて良好な再生音質を確保するのが難しくなる。ユーザーの耳に装着されるインナーイヤー型またはカナル型のイヤホンにおけるスピーカーユニットでも、同様の問題が生じる。特に、再生する音波の出口がユーザーの外耳道入り口に挿入されるカナル型のイヤホンでは、動電型スピーカーユニットを取り付けるハウジングが小さく、必要十分な音声再生能力を有する振動板口径が大きいスピーカーユニットを採用するのが難しく、ハウジングの構造による影響および制限を受けやすいという問題がある。
【０００５】
従来には、イヤーパッドを外耳道入口に挿入して用いる密閉イヤホンにおいて、電気音響変換器を収納しているハウジングの内部の空間と外部の空間は音響的に連通しておらず、該ハウジングの内部の空間は、区画壁ならびに該電気音響変換器によってフロントスペースとリヤスペースに分離されており、該フロントスペースと該リヤスペースが１つの連比較的小さな管状スペースによってのみ連通していることを特徴とする密閉イヤホンがある（特許文献１）。このようなカナル型のイヤホンでは、密閉性が良く、遮音性能が高くて外部の雑音が聞こえにくいので、高い音圧感度が得られ、音漏れが少ないという利点がある。
【０００６】
例えば、カナル型イヤホンのハウジングにおいて、振動板の前側の音響空間に連通するノズル以外のリークポートが無い場合には低音域の再生能力が高くなりやすいので、適切なリークポートを設けて、メッシュなどの音響抵抗材を組み合わせて、低音域の音圧再生レベルを下げるように音響的な性能を設計する場合がある。また、リークポートを有さないようなカナル型のイヤホンでは、イヤピースが外耳道を密閉するので、聴取者がイヤホンを外耳道に挿脱する際に動電型スピーカーユニットの振動板に高い圧力がかかり、振動板並びにボイスコイルからなる振動系を損傷するなどの不具合が発生する場合がある。外耳道内空間の密閉度が高いので、イヤピースを聴取者の外耳道に挿脱する際に外耳道内空間の気圧の変化が大きくなり、聴取者の鼓膜にも大きな気圧変化が加わるという問題がある。
【０００７】
そこで、従来には、ドライバーと、該ドライバーを固定して該ドライバーの前室空間ならびに該前室空間に連通する音道を規定するハウジングと、該音道の外側を包囲して聴取者の外耳道に挿脱されるイヤピースと、を備えるイヤホンであって、該ハウジングが、該聴取者が該イヤホンを該外耳道に挿脱する場合に手の指で保持するハウジングボディと、該ハウジングボディに設けられて該前室空間と該ハウジングの外部自由空間とを連通する通気管と、該通気管内の空気の流れを制御する開閉機構と、を有し、該開閉機構が、該聴取者が該イヤピースを該外耳道に挿脱する場合に該ハウジングボディを手の指で保持する動作によって該通気管内の空気を移動可能にするように開き、かつ、該聴取者が該ハウジングボディから指を離す動作によって該通気管内の空気を移動不可能なように閉じる開閉弁を備える、イヤホンがある（特許文献２）。
【０００８】
しかし、従来のスピーカーユニットを備えるカナル型のイヤホンは、更に改良が望まれる。上記の様な開閉機構は、構成部品が多くなり、製造コストが高くなるなどの課題がある。そこで、開閉機構を備えない前室空間と外部自由空間とを連通するリークポートを設けると、挿抜時に操作を要する煩わしさからは解放されるものの、外耳道に近いところへの音漏れが大きくなり、再生音質が劣化するという問題がある。
【０００９】
なお、従来には、耳道挿入部と、音響変換機を内蔵する本体とよりなる耳道挿入型イヤホンにおいて、耳道挿入部の内部空間と耳道挿入型イヤホンの外部空間を連通する中空部材を、耳道挿入部に挿設してなることを特徴とする耳道挿入型イヤホンがある（特許文献３）。特許文献３の図３に記載の中空部材５の一方端側はイヤピース内の空間に位置し、中空部材５の他方端側は外部空間に位置している。ただし、特許文献３の図３に記載のようなその大部分が外部空間に突出するような中空部材５を設けることは、実用上では非現実的である。
【００１０】
【特許文献１】特開２０１６−２０１７８６号公報
【特許文献２】特開２００８−１４７７１０号公報
【特許文献３】特開２０１４−１７５７００号公報
【発明の概要】
【発明が解決しようとする課題】
【００１１】
本発明は、上記の従来技術が有する問題を解決するためになされたものであり、その目的は、再生する音波の出口がユーザーの外耳道入り口に挿入されるカナル型のイヤホンに関し、スピーカーユニットの損傷を防ぐように振動板の前側空間に連通するリークポートを設ける場合に、製造が容易で品質が安定し、また、外部への音漏れが小さくて、再生音質が良好で好ましい音声再生を実現するイヤホンを提供することにある。
【課題を解決するための手段】
【００１２】
本発明のイヤホンは、音声信号を電気音響変換して振動板から音波を放射するスピーカーユニットと、スピーカーユニットを振動板の一方側と他方側とにそれぞれ第１音響空間と第２音響空間とを規定するように取り付けるハウジングと、を備えるイヤホンであって、ハウジングは、第１音響空間と第２音響空間とを連通させる音響通路を形成する内側リークポート部をさらに備え、内側リークポート部は、ハウジングの外殻を形成するハウジング部材と、ハウジング部材とスピーカーユニットとの間に介在してこれらを取り付ける取付部材と、から構成され、ハウジング部材または取付部材に設けられる溝により音響通路を形成する。
【００１３】
好ましくは、本発明のイヤホンは、音響通路を形成する溝が、ハウジング部材または取付部材の材厚を、所定の長さに渡って他の部分の材厚よりも薄くまたは厚くして形成されている。
【００１４】
また、好ましくは、本発明のイヤホンは、ハウジングが、第１音響空間と外部空間とを連通させる音響通路を形成する、または、第２音響空間と外部空間とを連通させる音響通路を形成する外側リークポート部をさらに備える。
【００１５】
また、好ましくは、本発明のイヤホンは、ハウジングが、第１音響空間に連通してスピーカーユニットが放射する音波をユーザーの外耳道に導くノズル部を有し、ノズル部は、その内部に形成される音響通路および第１音響空間を通じてスピーカーユニットの振動板の一方側が少なくともノズル部の端部から直視できるような管状に形成されている。
【００１６】
また、好ましくは、本発明のイヤホンは、ユーザーの外耳道に挿入されるイヤピースと、イヤピースをノズル部に取り付けるイヤピース取付部と、をさらに備える。
【００１７】
以下、本発明の作用について説明する。
【００１８】
本発明のイヤホンは、音声信号を電気音響変換して振動板から音波を放射するスピーカーユニットと、スピーカーユニットを振動板の一方側と他方側とにそれぞれ第１音響空間と第２音響空間とを規定するように取り付けるハウジングと、を備える。ハウジングが、第１音響空間に連通してスピーカーユニットが放射する音波をユーザーの外耳道に導くノズル部を有し、ユーザーの外耳道に挿入されるイヤピースと、イヤピースをノズル部に取り付けるイヤピース取付部と、をさらに備えれば、イヤピースが外耳道に密着するカナル型のイヤホンを実現できる。
【００１９】
ここで、ハウジングは、第１音響空間と第２音響空間とを連通させる音響通路を形成する内側リークポート部をさらに備え、内側リークポート部は、ハウジングの外殻を形成するハウジング部材と、ハウジング部材とスピーカーユニットとの間に介在してこれらを取り付ける取付部材と、から構成され、ハウジング部材または取付部材に設けられる溝により音響通路を形成する。この音響通路を形成する溝は、ハウジング部材または取付部材の材厚を、所定の長さに渡って他の部分の材厚よりも薄くまたは厚くして形成されているのが好ましい。
【００２０】
つまり、本発明のイヤホンは、第１音響空間と第２音響空間とを連通させる音響通路を、ハウジング部材とスピーカーユニットとの間に介在してこれらを取り付ける取付部材の溝で形成するので、スピーカーユニットの損傷を防ぐリークポートを設けるのに製造が容易で、低コストで実現可能であり、品質が安定する利点がある。また、第１音響空間と第２音響空間とを連通させる音響通路であるので、外部への音漏れが小さく、外耳道に近いところへの音漏れが発生しないので、再生音質が劣化せずに、良好で好ましい音声再生を実現することができる。
【００２１】
また、本発明のイヤホンのハウジングは、第１音響空間と外部空間とを連通させる音響通路を形成する、または、第２音響空間と外部空間とを連通させる音響通路を形成する外側リークポート部をさらに備えるようにしてもよい。カナル型のイヤホンにおいて適切な音圧周波数特性を得ることができ、その結果、自然で好ましい音声再生を実現することができる。
【発明の効果】
【００２２】
本発明のイヤホンは、スピーカーユニットの損傷を防ぐように振動板の前側空間に連通するリークポートを設ける場合に、製造が容易で品質が安定し、また、外部への音漏れが小さくて、再生音質が良好で好ましい音声再生を実現できる。
【図面の簡単な説明】
【００２３】
【図１】本発明の好ましい実施形態によるイヤホンについて説明する図である。
【図２】本発明の好ましい実施形態によるイヤホンの内部構造について説明する図である。
【図３】本発明の好ましい実施形態によるイヤホンの内部構造について説明する図である。
【図４】本発明の好ましい実施形態によるイヤホンのリークポート構造並びにネットワーク回路について説明する図である。
【図５】本発明の好ましい実施形態によるイヤホンの音圧周波数特性について説明するグラフである。
【発明を実施するための形態】
【００２４】
以下、本発明の好ましい実施形態によるイヤホンについて説明するが、本発明はこれらの実施形態には限定されない。
【実施例１】
【００２５】
図１、図２および図３は、本発明の好ましい実施形態によるイヤホン１について説明する図である。具体的には、図１は、ユーザーの片耳に装着するイヤホン１の斜視図を示す。また、図２は、イヤホン１の内部構造を説明するＡ−Ａ断面図である。また、図３は、イヤホン１の内部構造を説明する図であり、図３（ａ）は一部を省略した断面図、図３（ｂ）はハウジング２を構成する第１部材２ａの斜視図である。なお、本発明の説明に不要な他のイヤホン１の構成については、図示及び説明を省略する。例えば、図３（ａ）では、動電型スピーカーユニット３の内部構造、電磁型スピーカーユニット４、等の図示を省略している。
【００２６】
本実施例のイヤホン１は、再生する音波の出口がユーザーの耳介の外耳道孔に挿入されるカナル型のイヤホンである。イヤホン１は、ユーザーの左右耳にそれぞれ装着する略左右対称形状のイヤホンを備えて、ステレオ再生に対応することができる。以下では、イヤホン１の片方の耳に対応する構成を説明する。もちろん、イヤホン１の形態は、本実施例の場合に限定されない。
【００２７】
複合型のイヤホン１は、そのハウジング２に、コード５を介して音声信号を供給することで音を再生する動電型スピーカーユニット３および電磁型スピーカーユニット４が内部に取り付けられている。これらのスピーカーユニットが出力する音波の出力孔２０が形成されるハウジング２のノズル部２３には、イヤピース６が取り付けられるイヤピース取付部が形成されている。弾性を有する笠形状のイヤピース６を取り付ければ、イヤピース６がユーザーの外耳道孔に密着するカナル型のイヤホンを実現できる。イヤピース６により、ユーザーは耳介にイヤホン１を安定して装着することができる。
【００２８】
本実施例のハウジング２は、ユーザーの耳介の外耳道孔の大きさに相当するような口径の動電型スピーカーユニット３と、それよりも全長が長い大型の電磁型スピーカーユニット４を取り付けることができる。ハウジング２は、ノズル部２３を含む略円筒形状の第１部材２ａと、第１部材２ａの後方側に連結してキャビティを構成する第２部材２ｂを含むように構成してもよい。ハウジング２は、金属材料又は樹脂材料から構成され、音声信号を供給するコード５を接続するコード接続部を備える。
【００２９】
ハウジング２は、音波の出力孔２０が形成されるノズル部２３に近い側に動電型スピーカーユニット３を配置し、そして、ノズル部２３から遠い側に電磁型スピーカーユニット４を配置する。動電型スピーカーユニット３は、音声信号を人間の可聴音帯域（２０Ｈｚ〜２０ｋＨｚ）よりも高い周波数帯域成分を含む高音域音波（つまり、２０ｋＨｚ以上の帯域成分を含む音波）に電気音響変換して放射する。一方、電磁型スピーカーユニット４は、音声信号をこの高音域音波よりも低い周波数帯域成分をより多く含む低音域音波に電気音響変換して放射する。
【００３０】
動電型スピーカーユニット３は、ボイスコイルが配置される磁気空隙を有する磁気回路３１と、ボイスコイルが連結されて外側に露出する略ドーム状の振動板３０と、振動板３０並びに磁気回路３１を連結するフレーム３２と、を有するように構成される。動電型スピーカーユニット３は、振動板３０の前方側と後方側とにお互いに逆相関係となる音波をそれぞれ放射する。動電型スピーカーユニット３のフレーム３２は、ハウジング２の内壁面に対して取付部材２５を介して連結して、動電型スピーカーユニット３の振動板３０の一方側と他方側とを分離するように、動電型スピーカーユニット３を取り付ける。
【００３１】
ハウジング２は、動電型スピーカーユニット３の振動板３０の前方側に音響空間２１を規定し、動電型スピーカーユニット３の磁気回路が存在する後方側に音響空間２２を形成する。また、音響空間２２には、電磁型スピーカーユニット４がその内部に収容されるように取り付けられる。電磁型スピーカーユニット４は、ハウジング２の内壁面に対して取付部材２６を介して連結する。したがって、動電型スピーカーユニット３が前方側の音響空間２１に放射する高音域音波と、後方側の音響空間２２に放射する高音域音波とは、逆相の関係になる。
【００３２】
電磁型スピーカーユニット４は、駆動ロッド部４２を振動させるアーマチュア部を含む磁気駆動部４１と、駆動ロッド部４２に接続する振動板４０と、磁気駆動部４１および振動板４０を内側に収めて振動板４０から放射される音波を出力する出力孔４４を形成するケース４３と、を有するように構成されて低音域音波を放射する。電磁型スピーカーユニット４の出力孔４４には、電磁型スピーカーユニット４が放射する低音域音波を音響空間２１に導く管状のポート部２４が接続する。
【００３３】
ポート部２４は、チューブまたは柔軟な筒状体で形成されていてもよく、また、樹脂材料または金属材料で形成される管であってもよい。本実施例の場合には、長い管状のポート部２４の一端側が電磁型スピーカーユニット４の出力孔４４に連通し、他端側が音響空間２１に連通しているので、電磁型スピーカーユニット４からの放射音である低音域音波は、音響空間２２には放射されない。
【００３４】
音響空間２１は、ユーザーの耳介の外耳道孔に挿入されるように、先端側が細く形成されるハウジング２のノズル部２３の端部に形成される出力孔２０に連通する。ノズル部２３は、音響空間２１に連通して音波をユーザーの外耳道に導く音響通路を、その内部側に形成する。このノズル部２３は、動電型スピーカーユニット３の振動板３０の一方側が、少なくともノズル部２３の端部である出力孔２０から直視できるような管状に形成されている。
【００３５】
したがって、動電型スピーカーユニット３が放射する高音域音波と、電磁型スピーカーユニット４が放射する低音域音波とは、音響空間２１において合成されて、連通する出力孔２０から放射される。なお、ノズル部２３の開口端部には、通気性を有する保護部材としての保護ネットを取り付けるようにしてもよい。保護ネットは、ノズル部の開口端部から内部に異物が混入して音響通路が閉じてしまう、などの不具合を防止することができる。
【００３６】
本実施例のハウジング２は、ハウジング２の内側の音響空間２１と音響空間２２とを連通させる内側リークポート部としての音響通路２７を備える。本実施例では、この音響通路２７は、ハウジング２を構成するハウジング部材に設けられる溝と、動電型スピーカーユニット３との間に介在してこれらを取り付ける取付部材２５との間に形成されている。取付部材２５は、動電型スピーカーユニット３のフレーム３２の外周側を覆うような筒状に構成されている。したがって、図３に図示するように、音響通路２７を形成する溝は、ハウジング２を構成する第１部材２ａの材厚を、所定の長さに渡って他の部分の材厚よりも薄くして形成されている。
【００３７】
取付部材２５は、動電型スピーカーユニット３のフレーム３２の外周側を覆うような筒状に構成されているので、音響通路２７を形成する溝は、取付部材２５に設けてもよい。また、所定の材厚のハウジング２または取付部材２５に所定の長さの溝を設ける場合には、他の部分の材厚よりも薄くするだけでなく、他の部分の材厚よりも厚くしてリブを設けるなどして、溝を形成することができる。
【００３８】
溝を有するようにハウジング２または取付部材２５を製造することは容易であるので、音響通路２７を低コストで実現可能であり、イヤホン１の品質が安定する利点がある。また、振動板３０の前側空間である第１音響空間２１と第２音響空間２２とを連通させるリークポートである音響通路２７を形成するので、外部への音漏れが小さくなる。その結果、外耳道に近いところへの音漏れが発生しないので、再生音質が劣化せずに、良好で好ましい音声再生を実現することができる。
【００３９】
さらに、イヤホン１のイヤピース６がユーザーの外耳道に密着して、外耳道内空間と外部自由空間とをほぼ遮断するような場合においては、外耳道内空間の密閉度が高いので、イヤホン１を聴取者の外耳道に挿脱する際に外耳道内空間の気圧の変化が大きくなり、動電型スピーカーユニット３の振動板３０に大きな気圧変化が加わり、場合によっては動電型スピーカーユニット３が破壊されてしまうという問題がある。本実施例のように、ハウジング２の内側の音響空間２１と音響空間２２とを連通させる内側リークポート部としての音響通路２７を備えるようにすれば、振動板３０の一方側と他方側から気圧変化が加わるようになるので、動電型スピーカーユニット３が破壊されるような不具合を防止することができる。
【００４０】
図４は、イヤホン１のリークポート構造並びにネットワーク回路について説明する模式図である。この模式図では、ハウジング２を含むイヤホン１の構成を、機能的に簡単化して図示している。
【００４１】
ハウジング２は、上記の音響通路２７だけでなく、音響空間２１または音響空間２２に連通して音波を外部空間に導くリーク穴もしくはポートを、さらに備えていてもよい。例えば、音響空間２１と外部空間を連通させる音響通路２８をハウジング２に設けてもよく、また、音響空間２２と外部空間を連通させる音響通路２９をハウジング２に設けてもよい。
【００４２】
ハウジング２には、リーク穴もしくはポートとして上記の複数の音響通路２７、２８および２９から１つ、または、複数の組み合わせを施すことができる。例えば、ハウジング２は、上記の音響通路２７に加えて、音響空間２２と外部空間を連通させる音響通路２９を備えれば、音響空間２１で生じる気圧変化を音響空間２２に逃がし、さらに外部空間に逃がすことができる。同様に、音響通路２７および２８の組み合わせ、音響通路２８および２９の組み合わせ、音響通路２７、２８および２９の組み合わせ、が可能である。
【００４３】
また、イヤホン１は、入力端子１１に入力される音声信号を帯域制限して動電型スピーカーユニット３並びに電磁型スピーカーユニット４に供給するネットワーク回路１２を備えていてもよい。ネットワーク回路１２は、音声信号を所定の周波数以上の周波数帯域に帯域制限して動電型スピーカーユニット３に供給する回路素子１３、および／または、音声信号を所定の周波数以下の周波数帯域に帯域制限して電磁型スピーカーユニット４に供給する回路素子１４、を含む。
【００４４】
ネットワーク回路１２の動電型スピーカーユニット３に接続する回路素子１３としては、例えば、直列接続されるコンデンサ素子を含むようにして、１ｋＨｚ以上２０ｋＨｚ以下の所定の周波数以上の帯域成分を少なくとも含む高音域成分を動電型スピーカーユニット３に供給するようにするのが好ましい。もちろん、ネットワーク回路１２の回路素子１３としては、再生レベルを調整する抵抗素子を含んでもよい。
【００４５】
また、ネットワーク回路１２の電磁型スピーカーユニット４に接続する回路素子１４としては、例えば、音声信号を所定の周波数以下の周波数帯域に帯域制限するインダクタンス素子であるコイルのような回路素子であってもよく、また、所定の周波数以上の周波数帯域を信号グランドにバイパスするような並列接続されるコンデンサのような回路素子であってもよい。なお、回路素子１４は、直列接続される再生レベルを調整する抵抗素子でもよく、また、抵抗素子などを接続しない直結であってもよい。
【００４６】
図５は、本実施例のイヤホン１の音圧周波数特性について説明するグラフであり、横軸は入力音声信号の周波数を示し、縦軸は測定治具である耳型に装着した場合の外耳道での音圧レベルを実線で示す。また、比較例として、動電型スピーカーユニット３のみを用いる場合の音圧周波数特性と、電磁型スピーカーユニット４のみを用いる場合の音圧周波数特性と、を点線で重ね書きしている。
【００４７】
図５に示すように、複合型のイヤホン１の構成とすることで、２０ｋＨｚ〜４０ｋＨｚを含む高音域音波を再生できる広い音圧周波数特性が実現される。振動板口径が小さい小型の動電型スピーカーユニット３が人間の可聴音帯域（２０Ｈｚ〜２０ｋＨｚ）よりも高い周波数帯域成分（２０ｋＨｚ以上。好ましくは２０ｋＨｚ〜４０ｋＨｚ程度まで。）を含む高音域音波を再生するからである。一方で、電磁型スピーカーユニット４のみの場合は、４ｋＨｚ以上の再生音圧レベルが低くて高音域音波の再生には適さないが、動電型スピーカーユニット３よりも低音域音波の再生音圧レベルが高いので、これらを合わせて広い再生周波数帯域を得ることができる。
【００４８】
本実施例のイヤホン１は、それぞれ単独のスピーカーユニット３または４を用いる場合に比べて、約３００Ｈｚ〜１ｋＨｚがおおよそフラットな特性となるように改善されている。その結果、再生音声の明瞭度を向上させることができる。再生する音波の出口がユーザーの外耳道入り口に挿入されるカナル型のイヤホン１としては、自然で好ましい音声再生を実現することができる。上記の本実施例の場合の様に３００Ｈｚ付近の音圧が下がらなくなると、再生音声の明瞭度を高めて、再生音質の劣化を防ぐことができる。
【００４９】
特に、ハウジング２のノズル部２３の出力孔２０では、その内部に形成される音響通路および音響空間２１を通じて動電型スピーカーユニット３の振動板３０の一方側が、本実施例のように出力孔２０から直視できるような管状に形成されているのが好ましい。動電型スピーカーユニット３の振動板３０から放射される高音域音波は、波長が短くて指向性が強くなるので、音響通路を構成する壁面に反射しない成分が多く放射されるようにするのが適切である。人間の可聴音帯域よりも高い周波数帯域成分を含む高音域音波の再生音圧レベルを高めて、高域限界周波数をより高くすることができる。その結果、本実施例のイヤホン１では、ハイレゾリューション・オーディオ信号等を再生するのに求められる所定の規格性能を満たすことができる。
【００５０】
なお、複合型のイヤホン１では、動電型スピーカーユニット３並びに電磁型スピーカーユニット４が並列接続されて同一の音声信号が入力されるように接続されていてもよいが、帯域制限して供給する回路素子、または、レベル調整して供給する回路素子を含むネットワーク回路１２を有していれば、さらに音圧周波数特性の調整が容易になり、複合型のイヤホン１として適切な音圧周波数特性を得ることができる。
【００５１】
なお、本実施例の場合には、長い管状のポート部２４の一端側が電磁型スピーカーユニット４の出力孔４４に連通し、他端側が音響空間２１に連通しているので、電磁型スピーカーユニット４からの放射音である低音域音波は、音響空間２２には放射されない。しかし、例えば、ポート部２４を短くしてその一端側が電磁型スピーカーユニット４の出力孔４４に直接に取り付けられていないようにしてもよい。つまり、電磁型スピーカーユニット４の出力孔４４から放射される音波は、音響空間２２には放射されてからポート部２４の一端側に入る構成になっていてもよい。音響空間２２を音響的なハイカットフィルタを構成する音響容量として機能させることができる。
【００５２】
また、ハウジング２のポート部２４は、音響空間２１に連通する音響通路を、チューブまたは必ずしも柔軟な筒状体で形成しなくても、同程度の断面積を有する管部をハウジング部材の外壁部および内壁部を貫通するように設けることで代用してもよい。また、ポート部２４は、その全部を柔軟な筒状体で形成しなくても、一部を上記の様なハウジング部材の外壁部および内壁部を貫通する管部によって代用してもよい。また、ハウジング部材に取り付ける他のカバー部材を用いて、音響通路２７、２８、または、２９に代わるリークポートを設けてもよい。
【産業上の利用可能性】
【００５３】
本発明のイヤホンは、図示するようなカナル型のイヤホンに限らず、さらに別の耳掛け部を備えるイヤホンであってもよい。また、イヤホンに限らず、ヘッドバンドにより左右両耳に対応するイヤホンを連結して、オーバーヘッドタイプのイヤホンを構成してもよい。イヤホンは、家庭用のステレオ再生、もしくはマルチチャンネルサラウンド再生に限られず、車載用のオーディオ機器や、映画館等の音響再生設備にも適用が可能である。
【符号の説明】
【００５４】
１            イヤホン
２            ハウジング
３            動電型スピーカーユニット
４            電磁型スピーカーユニット
５            コード
６            イヤピース
１２          ネットワーク回路
２０          出力孔
２１、２２    音響空間
２３          ノズル部
２４          ポート部
２５、２６    取付部材
２７、２８、２９  音響通路
【図１】
2019145963.tif 000003
【図２】
2019145963.tif 000004
【図３】
2019145963.tif 000005
【図４】
2019145963.tif 000006
【図５】
2019145963.tif 000007